(57)【要約】【課題】  奥行きが狭いスペースであっても車両への設置が可能であると共に、車両の走行状況に応じて複数種類の配光パターンを形成することができ、車両前方の視認性を必要に応じて高めることができるプロジェクタ型の車両用前照灯を提供する。【解決手段】  車両用前照灯１０は、灯室内に、車両前後方向に延びるレンズ中心軸Ａｘ上に配置された投影レンズ１１と、投影レンズ１１の後方に設けられて光軸Ｖｘがレンズ中心軸Ａｘと直交するように配置されたリフレクタ２４と、リフレクタ２４に対して挿入固定された放電バルブ２２と、リフレクタ２４の光軸Ｖｘ上において回動可能に配置された選択反射部材２５と、投影レンズの後方焦点Ｆｏ近傍に位置する選択反射部材２５の各反射面２６，２７，２８の一端部に設けられ、異なる配光パターンのカットオフラインを形成する明暗境界形成部２６ａ，２７ａ，２８ａと、を備える。【選択図】  図１
2006079877.tif 000002
【特許請求の範囲】
【請求項１】
ランプボディとカバーで形成された灯室内に、
車両前後方向に延びるレンズ中心軸上に配置された投影レンズと、
前記投影レンズの後方に設けられて光軸が前記レンズ中心軸と交差するように配置されたリフレクタと、
前記リフレクタに対して挿入固定された光源バルブと、
前記リフレクタの光軸上に回動可能に配置されると共に、前記リフレクタからの反射光を前記投影レンズに向けて選択的に反射する複数の反射面を有する選択反射部材と、
前記投影レンズの後方焦点近傍に位置する前記選択反射部材の各反射面の一端部に設けられ、異なる配光パターンのカットオフラインを形成する明暗境界形成部と、
を備えた車両用前照灯。
【請求項２】
前記光源バルブの光軸が、車両幅方向に延びることを特徴とする請求項１に記載の車両用前照灯。
【請求項３】
前記選択反射部材が、車両幅方向に延びる水平軸を中心に回動することを特徴とする請求項１又は２に記載の車両用前照灯。
【請求項４】
前記リフレクタの反射面が、前記光源バルブの発光部を第１焦点とし、前記投影レンズの後方焦点近傍を第２焦点とする略楕円面状に形成されていることを特徴とする請求項１乃至３の何れかに記載の車両用前照灯。
【請求項５】
前記リフレクタからの反射光を車両前方に向けて反射する反射面を有する付加リフレクタが設けられることを特徴とする請求項１乃至４の何れかに記載の車両用前照灯。
【請求項６】
前記選択反射部材の反射面が、アルミ蒸着により形成されることを特徴とする請求項１乃至５の何れかに記載の車両用前照灯。
【発明の詳細な説明】
【技術分野】
【０００１】
本発明は、車両用前照灯に係り、特に奥行きが従来構造より短縮されたプロジェクタ型の灯具ユニットを備えた車両用前照灯に関する。
【背景技術】
【０００２】
従来より、プロジェクタ型の灯具ユニットにより車両前方へ向けて光照射を行う車両用前照灯が知られている。
このプロジェクタ型の灯具ユニットは、車両前後方向に延びる光軸上近傍に配置された光源バルブからの光を、リフレクタにより前方へ向けて光軸寄りに集光反射させ、この反射光をリフレクタの前方に設けられた投影レンズを介して灯具ユニット前方へ照射する。この灯具ユニットにより、上端部にカットオフラインを有する配光パターンを形成する場合には、投影レンズの後方側焦点近傍にシェードを設け、このシェードによりリフレクタからの反射光の一部を遮蔽してカットオフラインを形成するのが一般的である。
【０００３】
また、灯具ユニットの光束利用率を高めて大光量光学系を構成するために、シェードの反射面で反射した光を投影レンズに入射させて前方に投影する光学系を有する車両用前照灯もある。
例えば、特許文献１に記載の車両用灯具では、投影レンズのレンズ中心軸上に光源が配置されており、光源からの光源光をリフレクタによって前方に反射し、この反射光が投影レンズを介して前方に投影される。そして、このリフレクタからの反射光の一部が遮蔽板（シェード）によって遮蔽されると共に、内面鏡部（反射面）によって反射されてカットオフラインを形成する。ここで、遮蔽板の内面鏡部は、投影レンズのレンズ中心軸に平行に配置されており、遮蔽板の内面鏡部で反射した光もまた投影レンズに入射して前方に投影される。
このように、特許文献１に記載の車両用灯具では、遮蔽板によって遮られた光が前方に投影されるように遮蔽板を配置することにより、光束利用率を高め、車両用灯具の視認性を高めている。
【０００４】
【特許文献１】特開２０００−３４８５０８号公報
【発明の開示】
【発明が解決しようとする課題】
【０００５】
ところで、一般に車両用前照灯は、設置される車両のデザインに応じて設計されることが多いが、車両のデザインによっては、車両用前照灯を配置するためのスペースが制限されることもある。特に、車両用前照灯を配置するスペースとして奥行き（車両前後方向長さ）が制限される場合には、上述の特許文献１に開示されているような投影レンズ、光源、リフレクタが一直線上に配置される構成は不向きであり、改良が望まれている。
【０００６】
また、上述の特許文献１に記載された構成のプロジェクタ型の車両用前照灯は、遮蔽板の内面鏡部で反射した光を投影レンズに入射して前方に投影するすれ違いビーム用と、リフレクタからの光を遮蔽することのない位置に遮蔽板を回動させてリフレクタからの光を遮蔽しない走行ビーム用と、の２種類の配光パターンを形成することしかできない。
そこで、雨天走行時における前方の路面部分の視認性を向上させる為に配光パターンに暗部を形成したり、高速走行時の車両前方の視認性を向上させる為に配光パターンの中央部にホットゾーンを形成したりして、３種類以上の配光パターンを形成することはできなかった。
【０００７】
従って、本発明の目的は上記課題を解消することに係り、奥行きが狭いスペースであっても車両への設置が可能であると共に、車両の走行状況に応じて複数種類の配光パターンを形成することができ、車両前方の視認性を必要に応じて高めることができるプロジェクタ型の車両用前照灯を提供することである。
【課題を解決するための手段】
【０００８】
本発明の上記目的は、ランプボディとカバーで形成された灯室内に、車両前後方向に延びるレンズ中心軸上に配置された投影レンズと、前記投影レンズの後方に設けられて光軸が前記レンズ中心軸と交差するように配置されたリフレクタと、前記リフレクタに対して挿入固定された光源バルブと、前記リフレクタの光軸上に回動可能に配置されると共に、前記リフレクタからの反射光を前記投影レンズに向けて選択的に反射する複数の反射面を有する選択反射部材と、前記投影レンズの後方焦点近傍に位置する前記選択反射部材の各反射面の一端部に設けられ、異なる配光パターンのカットオフラインを形成する明暗境界形成部と、を備えた車両用前照灯により達成される。
【０００９】
望ましくは、前記光源バルブの光軸が、車両幅方向に延びることを特徴とする。
【００１０】
望ましくは、前記選択反射部材が、車両幅方向に延びる水平軸を中心に回動することを特徴とする。
【００１１】
望ましくは、前記リフレクタの反射面が、前記光源バルブの発光部を第１焦点とし、前記投影レンズの後方焦点近傍を第２焦点とする略楕円面状に形成されていることを特徴とする。
【００１２】
望ましくは、前記リフレクタからの反射光を車両前方に向けて反射する反射面を有する付加リフレクタが設けられることを特徴とする。
【００１３】
望ましくは、前記選択反射部材の反射面が、アルミ蒸着により形成されることを特徴とする。
【発明の効果】
【００１４】
以上説明したように、本発明の車両用前照灯によれば、車両前後方向に延びるレンズ中心軸上に配置された投影レンズの後方に設けられたリフレクタの光軸が前記レンズ中心軸と交差するように配置されると共に、リフレクタからの反射光を前記投影レンズに向けて選択的に反射する光学系を有しており、光源バルブが前記リフレクタに対して挿入固定される。
そこで、本発明の車両用前照灯は前後長が短くなり、奥行を浅くすることが可能となって車両への取付けが容易となる。
【００１５】
また、前記リフレクタからの反射光を前記投影レンズに向けて選択的に反射する複数の反射面を有する選択反射部材が、前記リフレクタの光軸上に回動可能に配置されると共に、異なる配光パターンのカットオフラインを形成する明暗境界形成部が、前記投影レンズの後方焦点近傍に位置する前記選択反射部材の各反射面の一端部に設けられている。
そこで、前記選択反射部材を回動させて複数の反射面の切換えを車両走行状況に応じて行えば、車両の走行状況に応じた複数種類の配光パターンで光照射を行うことができ、夜間運転時の視認性を向上させたプロジェクタ型の車両用前照灯を得ることができる。
ここで、「車両走行状況」とは、車両走行に関連する各種の状態や外部情報を意味するものであって、例えば車速、舵角、車両姿勢、前走車との車間距離、天候、ナビゲーション情報等が該当する。
【００１６】
従って、奥行きが狭いスペースであっても車両への設置が可能であると共に、車両の走行状況に応じて複数種類の配光パターンを形成することができ、車両前方の視認性を必要に応じて高めることができるプロジェクタ型の車両用前照灯を提供できる。
【発明を実施するための最良の形態】
【００１７】
以下、添付図面に基づいて本発明の一実施形態に係る車両用前照灯を詳細に説明する。（第１実施形態）
図１に示すように、本発明の第１実施形態に係る車両用前照灯１０は、素通し状の透明カバー（カバー）１４とランプボディ１２とで形成された灯室内に、灯具ユニット２０が収容されている。
【００１８】
灯具ユニット２０は、図２及び図３にも示すように、プロジェクタ型の灯具ユニットであり、車両前後方向に延びるレンズ中心軸Ａｘ上に配置された投影レンズ１１と、前記投影レンズ１１の後方に設けられて光軸Ｖｘが前記レンズ中心軸Ａｘと直交するように配置されたリフレクタ２４と、前記リフレクタ２４に対して挿入固定された放電バルブまたはハロゲンバルブ（光源バルブ）２２と、前記リフレクタ２４の光軸Ｖｘ上において車両幅方向に延びる水平軸を中心に回動可能に配置された選択反射部材２５と、を備えている。
【００１９】
投影レンズ１１は、前方側表面が凸面で後方側表面が平面の平凸レンズからなり、その後方側焦点Ｆｏを含む焦点面上の像を反転像として前方へ投影するようになっている。上記レンズ中心軸Ａｘは、正確には水平方向に対して前方へ向けて０．５〜０．６度程度下向きの方向に延びている。
【００２０】
リフレクタ２４は、前記レンズ中心軸Ａｘの上方に配置されており、該リフレクタ２４の光軸Ｖｘが前記レンズ中心軸Ａｘと略直交するように配置されている。リフレクタ２４の反射面２４ａ，２４ｂは、放電バルブ２２の発光部２２ａを第１焦点Ｆ１とし、投影レンズ１１の後方側焦点Ｆｏ近傍を第２焦点Ｆ２とする略楕円面状に形成されている。
【００２１】
放電バルブ２２は、放電により発光する発光部２２ａを有するメタルハライドバルブであり、その発光部２２ａが前記リフレクタ２４の第１焦点Ｆ１近傍に配置されると共に、該放電バルブ２２の光軸Ｈｘが車両幅方向に延びるようにして前記リフレクタ２４の側方から挿入固定されている。
【００２２】
選択反射部材２５は、リフレクタ２４の下方に配置されると共に、前記リフレクタ２４からの反射光を前記投影レンズ１１に向けて選択的に反射する複数（本実施形態においては３つ）の反射面２６，２７，２８を有する。
これら反射面２６，２７，２８は、図１乃至図３に示すように、車両幅方向に延びる水平軸と略平行な回動軸２９の周囲に略三角柱状に組み合わせた３枚の矩形平板状の反射板の表面に、例えばアルミ蒸着等によってそれぞれ形成されている。
【００２３】
そして、回動軸２９が図示しない駆動機構等により回転駆動されることにより、リフレクタ２４の反射面２４ａ，２４ｂに対向する選択反射部材２５の各反射面２６，２７，２８は、リフレクタ２４の光軸Ｖｘに対して略４５°となるような角度にそれぞれ保持される。また、リフレクタ２４の反射面２４ａ，２４ｂに対向する各反射面２６，２７，２８の大部分は、上記レンズ中心軸Ａｘの上方に配置される。
【００２４】
選択反射部材２５の各反射面２６，２７，２８の一端部である下端部は、図４に示すように、それぞれ異なる配光パターンのカットオフラインを形成する明暗境界形成部２６ａ，２７ａ，２８ａを備えており、リフレクタ２４の反射面２４ａ，２４ｂに対向する各使用位置では、前記投影レンズ１１の後方側焦点Ｆｏ近傍で、且つ前記投影レンズ１１のレンズ中心軸Ａｘよりも下方の位置に配置される。この選択反射部材２５は、リフレクタ２４の反射面２４ａ，２４ｂに対向させる各反射面２６，２７，２８に応じて、投影レンズ１１が投影する配光のパターンを選択的に変化させるように光を反射する。
【００２５】
具体的に、反射面２６の下端部には、図４（ａ）に示すように、左側通行用のすれ違い配光パターンのカットオフラインを形成する明暗境界形成部２６ａが設けられる。反射面２６はリフレクタ２４の反射光を部分的に反射し、投影レンズ１１が左側通行用のカットオフラインを備えたすれ違い配光パターンＰＬを前方に投影する（図６（ａ）を参照）。
【００２６】
反射面２７の下端部には、図４（ｂ）に示すように、走行配光パターンのカットオフラインを形成する明暗境界形成部２７ａが設けられる。この明暗境界形成部２７ａは、明暗境界形成部２６ａ，２８ａに比べて下端部が大きくレンズ中心軸Ａｘよりも下方に延設されており、反射面２７はリフレクタ２４の反射光を全体的に反射し、投影レンズ１１が走行配光パターンＰＨを前方に投影する（図６（ｂ）を参照）。
【００２７】
反射面２８の下端部には、図４（ｃ）に示すように、右側通行用のすれ違い配光パターンのカットオフラインを形成する明暗境界形成部２８ａが設けられる。反射面２８はリフレクタ２４の反射光を部分的に反射し、投影レンズ１１が右側通行用のカットオフラインを備えたすれ違い配光パターンＰＲを前方に投影する（図６（ｃ）を参照）。
【００２８】
次に、図３〜図６を参照して、上記選択反射部材２５の回動変位による光の反射経路について詳細に説明する。
図３及び図５は、光の光路を説明するための模式図であり、図７は、前方に投影される光の配光パターンを説明する図である。
【００２９】
先ず、図２に示す選択反射部材２５の反射面２６がリフレクタ２４の反射面２４ａ，２４ｂに対向し、明暗境界形成部２６ａが前記後方側焦点Ｆｏ近傍上に位置した状態では、図３に示すように、放電バルブ２２の発光部２２ａから出射した光がリフレクタ２４の反射面２４ａ，２４ｂに入射する。ここで、リフレクタ２４の光軸Ｖｘを含む車両幅方向平面よりも車両後方側（図３中、右側）の反射面２４ｂで反射した光は、大部分が選択反射部材２５の反射面２６により反射され、反射面２６近傍に形成された像が倒立像として投影レンズ１１のほぼ下半分の部分（投影レンズ２８のレンズ中心軸Ａｘ以下の部分）に入射し、その後透明カバー１４を透過して前方に投影される。
【００３０】
一方、リフレクタ２４の光軸Ｖｘを含む車両幅方向平面よりも車両前方側（図３中、左側）の反射面２４ａで反射した光の一部は、選択反射部材２５の反射面２６にて反射されることなく下方に向かって直進し、投影レンズ１１には入射しない。
これにより、図６（ａ）に示すようなすれ違い配光パターンＰＬが前方に投影される。このすれ違い配光パターンＰＬでは、反射面２６の下端部に形成された明暗境界形成部２６ａの形状に応じて、前方右側が左側よりも高さの低いカットオフラインＣＬを有するいわゆる左側通行用のすれ違い配光パターンが形成される。
【００３１】
次に、図示しない駆動機構等により回動軸２９を回転駆動して選択反射部材２５の反射面２７をリフレクタ２４の反射面２４ａ，２４ｂに対向させ、明暗境界形成部２７ａが前記後方側焦点Ｆｏ近傍上に位置した状態では、図５に示すように、リフレクタ２４の光軸Ｖｘを含む車両幅方向平面よりも車両後方側の反射面２４ｂで反射した光は、選択反射部材２５の反射面２７により反射され、反射面２７近傍に形成された像が倒立像として投影レンズ１１のほぼ下半分の部分に入射し、その後透明カバー１４を透過して前方に投影される。
【００３２】
一方、リフレクタ２４の光軸Ｖｘを含む車両幅方向平面よりも車両前方側の反射面２４ａで反射した光も、ほぼ全体的に選択反射部材２５の反射面２７に入射して反射され、反射面２７近傍に形成された像が倒立像として投影レンズ１１のレンズ中心軸Ａｘより上方の部分を経て透明カバー１４を透過し、前方に投影される。
これにより、図６（ｂ）に示すような、配光パターンＰＨが前方に投影される。この配光パターンＰＨでは、前記後方側焦点Ｆｏ近傍の光は全体的に反射されるため、反射面２７の下端部に形成された明暗境界形成部２７ａの形状に関わらず、水平ラインＨの上方にも光が照射されるいわゆる走行配光パターンＰＨが形成される。
【００３３】
更に、図示しない駆動機構等により回動軸２９を回転駆動して選択反射部材２５の反射面２８をリフレクタ２４の反射面２４ａ，２４ｂに対向させ、明暗境界形成部２８ａが前記後方側焦点Ｆｏ近傍上に位置した状態では、リフレクタ２４の光軸Ｖｘを含む車両幅方向平面よりも車両後方側の反射面２４ｂで反射した光は、選択反射部材２５の反射面２７により反射され、反射面２７近傍に形成された像が倒立像として投影レンズ１１のほぼ下半分の部分に入射し、その後透明カバー１４を透過して前方に投影される。
【００３４】
一方、リフレクタ２４の光軸Ｖｘを含む車両幅方向平面よりも車両前方側の反射面２４ａで反射した光の一部は、選択反射部材２５の反射面２８にて反射されることなく下方に向かって直進し、投影レンズ１１には入射しない。
これにより、図６（ｃ）に示すようなすれ違い配光パターンＰＲが前方に投影される。このすれ違い配光パターンＰＲでは、反射面２８の下端部に形成された明暗境界形成部２８ａの形状に応じて、前方左側が右側よりも高さの低いカットオフラインＣＲを有するいわゆる右側通行用のすれ違い配光パターンが形成される。
【００３５】
以上説明したように、本実施形態の車両用前照灯１０は、車両前後方向に延びるレンズ中心軸Ａｘ上に配置された投影レンズ１１の後方に設けられたリフレクタ２４の光軸Ｖｘが前記レンズ中心軸Ａｘと直交するように配置されると共に、リフレクタ２４からの反射光を選択反射部材２５が投影レンズ１１に向けて選択的に反射する光学系を有しており、放電バルブ２２が前記リフレクタ２４に対して挿入固定されている。
そこで、本実施形態の車両用前照灯１０は前後長が短くなり、奥行を浅くすることが可能となって車両への取付けが容易となると共に、設計時の自由度を広げることができる。
【００３６】
また、前記リフレクタ２４からの反射光を前記投影レンズ１１に向けて選択的に反射する複数の反射面２６，２７，２８を有する選択反射部材２５が、前記リフレクタ２４の光軸Ｖｘ上に回動可能に配置されると共に、異なる配光パターンＰＬ，ＰＨ，ＰＲのカットオフラインを形成する明暗境界形成部２６ａ，２７ａ，２８ａが、前記投影レンズ１１の後方焦点Ｆｏ近傍に位置する前記選択反射部材２５の各反射面２６，２７，２８の下端部に設けられている。
【００３７】
そこで、回動軸２９を回転駆動することにより前記選択反射部材２５を回動させて複数の反射面２６，２７，２８の切換えを車両走行状況に応じて行えば、車両の走行状況に応じた複数種類の配光パターンＰＬ，ＰＨ，ＰＲで光照射を行うことができ、夜間運転時の視認性を向上させたプロジェクタ型の車両用前照灯を得ることができる。
また、本実施形態の車両用前照灯１０は、選択反射部材２５を回転駆動することで、すれ違い配光と走行配光との配光パターン切換を行うことができ、２灯式プロジェクタを簡単に構成することができる。
【００３８】
又、本実施形態に係る車両用前照灯１０において、発光部２２ａが光軸Ｈｘ方向に延びる線分光源として構成されている放電バルブ２２は、光軸Ｈｘが車両幅方向に延びるようにして前記リフレクタ２４の側方から挿入固定されており、選択反射部材２５の明暗境界形成部２６ａ，２７ａ，２８ａと略平行に配置されている。
そこで、光軸Ｈｘ直交方向へ向かう最も光度が高い放電バルブ２２の光線束を、選択反射部材２５の幅方向にわたって均等に利用することができ、明るさムラのない鮮明なカットオフラインを形成することができる。
【００３９】
ここで、上記「略平行に配置」の概念には、放電バルブ２２の光軸Ｈｘが車両幅方向に延びる選択反射部材２５の明暗境界形成部２６ａ，２７ａ，２８ａに対して平行に配置される場合が含まれることは勿論であるが、明暗境界形成部２６ａ，２７ａ，２８ａに対して±１５°程度傾斜させた状態で配置される場合も含む。
即ち、放電バルブ２２のリフレクタ２４に対する挿入固定を、選択反射部材２５の明暗境界形成部２６ａ，２７ａ，２８ａに対して適宜傾斜させた状態で行い、放電バルブ２２のプラグ部分を選択反射部材２５から遠い側（反射面２４ａ側）にずらしたり、放電バルブ２２の発光部２２ａをリフレクタ２４の光軸Ｖｘ上に位置させないことにより、車両前方に照射する配光パターンに影響を与えることなく、リフレクタ２４の有効な反射面２４ｂを増やして選択反射部材２５への反射光を増やすことができる。
【００４０】
なお、本実施形態では、リフレクタ２４は、リフレクタ２４の光軸Ｖｘと投影レンズ１１のレンズ中心軸Ａｘが直交するように投影レンズ１１に対して配置されているが、これに限られることはなく、投影レンズ１１に対して反射する光の角度を選択反射部材２５の取付角度を適宜変更することにより変化させてやれば、様々な角度でリフレクタ２４を取り付けるように構成することができる。また、本実施形態では、リフレクタ２４は、投影レンズ１１のレンズ中心軸Ａｘの上方に配置するように構成されているが、これに限られることはなく、リフレクタ２４を投影レンズ２８の中心軸Ｈｘの下方に配置するとともに、選択反射部材２６を投影レンズ２８の中心軸に対して線対称に配置するようにしても同様の効果が得られる。
【００４１】
（第２実施形態）
図７に示すように、本発明の第２実施形態に係る車両用前照灯３０は、素通し状の透明カバー（カバー）１４Ａとランプボディ１２Ａとで形成された灯室内に、灯具ユニット４０が収容されている。
灯具ユニット４０は、上述した第１実施形態の灯具ユニット２０における選択反射部材２５に換えて選択反射部材３５を設けると共に、付加リフレクタ３１を加えたものであり、その他の構成部材は、第１実施形態で説明したものと同等である。
【００４２】
付加リフレクタ３１は、リフレクタ２４及び選択反射部材３５の下方に設置された反射部材であり、選択反射部材３５に反射されずにリフレクタ２４から下方に直進する光を前方の左右両側に向かって反射する。
【００４３】
また、本実施形態の選択反射部材３５は、リフレクタ２４の下方に配置されると共に、前記リフレクタ２４からの反射光を前記投影レンズ１１に向けて選択的に反射する複数（本実施形態においては３つ）の反射面３６，３７，３８を有する。
これら反射面３６，３７，３８は、図７及び図８に示すように、車両幅方向に延びる水平軸と略平行な回動軸３９の周囲に略三角柱状に組み合わせた３枚の矩形平板状の反射板の表面に、例えばアルミ蒸着等によってそれぞれ形成されている。
【００４４】
そして、回動軸３９が図示しない駆動機構等により回転駆動されることにより、リフレクタ２４の反射面２４ａ，２４ｂに対向する選択反射部材３５の各反射面３６，３７，３８は、リフレクタ２４の光軸Ｖｘに対して略４５°となるような角度にそれぞれ保持される。また、リフレクタ２４の反射面２４ａ，２４ｂに対向する各反射面３６，３７，３８の大部分は、上記レンズ中心軸Ａｘの上方に配置される。
【００４５】
選択反射部材３５の各反射面３６，３７，３８の一端部である下端部は、図９に示すように、それぞれ異なる配光パターンのカットオフラインを形成する明暗境界形成部３６ａ，３７ａ，３８ａを備えており、リフレクタ２４の反射面２４ａ，２４ｂに対向する各使用位置では、前記投影レンズ１１の後方側焦点Ｆｏ近傍で、且つ前記投影レンズ１１のレンズ中心軸Ａｘよりも下方の位置に配置される。この選択反射部材３５は、リフレクタ２４の反射面２４ａ，２４ｂに対向させる各反射面３６，３７，３８に応じて、投影レンズ１１が投影する配光のパターンを選択的に変化させるように光を反射する。
【００４６】
具体的に、反射面３６の下端部には、図９（ａ）に示すように、左側通行用のすれ違い配光パターンのカットオフラインを形成する明暗境界形成部３６ａが設けられる。反射面３６はリフレクタ２４の反射光を部分的に反射し、投影レンズ１１が左側通行用のカットオフラインＣＬを備えたすれ違い配光パターンＰＬを前方に投影する。
また、付加リフレクタ３１は、選択反射部材３５に反射されずにリフレクタ２４から下方に直進する光を前方の左右両側に向かって反射するので、図１０（ａ）に示すように、スポット領域Ｓ１，Ｓ１がすれ違い配光パターンＰＬに重ね合わされる。
従って、本実施形態に係る車両用前照灯３０は、選択反射部材３５に反射されずに使われなかったリフレクタ２４からの反射光を利用して、車両前方の左右両側の視認性を高めることができる。
【００４７】
反射面３７の下端部には、図９（ｂ）に示すように、モータウェイ配光パターンのカットオフラインを形成する明暗境界形成部３７ａが設けられる。この明暗境界形成部３７ａは、明暗境界形成部３６ａに比べて下端部がレンズ中心軸Ａｘよりも下方に略平行に延設されており、反射面３７がリフレクタ２４の反射光を部分的に反射し、投影レンズ１１を介して前方に投影するすれ違い配光パターンＰＬ１の左側通行用のカットオフラインＣＬ１の位置は、図１０（ｂ）に示すように、前記反射面３６が投影レンズ１１を介して前方に投影するすれ違い配光パターンＰＬのカットオフラインＣＬよりも高くなる。ここで、リフレクタ２４の反射面２４ａ，２４ｂで反射した光は、ほぼ全体的に選択反射部材３５の反射面３７に入射して反射され、付加リフレクタ３１には殆ど入射されない。
【００４８】
更に、反射面３７の上部には、リフレクタ２４の反射光を車両幅方向に拡散して反射する拡散反射部３７ｂが設けられており、反射面３７が投影レンズ１１を介して前方に投影する配光パターンにおける車両前方の中央手前の光は拡散領域Ｓ２に拡散して投影される。
これにより、図１０（ｂ）に示すように、車両前方の中央手前の光を減少し、車両前方の中心遠方の投影光を相対的に明るくしたいわゆるモータウェイ用のすれ違い配光パターンＰＬ１が形成される。
従って、本実施形態に係る車両用前照灯３０は、高速走行時に車両前方路面の近距離領域が明るくなりすぎるのを防止してスムーズな視線誘導を可能とし、遠方視認性を高めることができる。
【００４９】
反射面３８の下端部には、図９（ｃ）に示すように、ウェットロード配光パターンのカットオフラインを形成する明暗境界形成部３８ａが設けられる。この明暗境界形成部３８ａは、上述した明暗境界形成部３７ａと同様であり、反射面３８がリフレクタ２４の反射光を部分的に反射し、投影レンズ１１を介して前方に投影するすれ違い配光パターンＰＬ２の左側通行用のカットオフラインＣＬ２の位置は、図１０（ｃ）に示すように、前記すれ違い配光パターンＰＬ１のカットオフラインＣＬ１と同じである。ここで、リフレクタ２４の反射面２４ａ，２４ｂで反射した光は、ほぼ全体的に選択反射部材３５の反射面３８に入射して反射され、付加リフレクタ３１には殆ど入射されない。
【００５０】
更に、反射面３８の上部には、リフレクタ２４の反射光を車両幅方向に拡散して反射する拡散反射部３８ｂが設けられており、反射面３８が投影レンズ１１を介して前方に投影する配光パターンにおける車両前方の中央手前の光は拡散領域Ｓ３に拡散して投影される。
これにより、図１０（ｃ）に示すように、車両前方の中央手前の光を暗くし、車両前方の手前側の路面に強い光が照射されるのを防止したいわゆるウェットロード用のすれ違い配光パターンＰＬ２が形成される。
従って、本実施形態に係る車両用前照灯３０は、配光パターンの中央手前領域に形成したする暗部が、雨天走行時における路面反射を防止するので、車両前方の視認性向上を図ることができると同時に、対向車にグレアを与えることも回避できる。
【００５１】
以上説明したように、本実施形態の車両用前照灯３０によれば、回動軸３９を回転駆動することにより前記選択反射部材３５を回動させて複数の反射面３６，３７，３８の切換えを行うだけで、ベーシックなすれ違い配光パターンＰＬ、モータウェイ用のすれ違い配光パターンＰＬ１及びウェットロード用のすれ違い配光パターンＰＬ２を車両走行状況に応じて容易に切り換えることができる。
【００５２】
尚、本発明の車両用前照灯に係る投影レンズ、リフレクタ、光源バルブ、選択反射部材、反射面、明暗境界形成部及び付加リフレクタ等の構成は、上記実施形態の構成に限定されるものではなく、本発明の趣旨に基づいて種々の形態を採りうることは勿論である。
例えば、上記実施形態においては、選択反射部材の反射面の一端部に設けられる明暗境界形成部が、矩形平板状の反射板の一端部をカットオフラインに合わせてカットした形状とすることにより形成されている。
【００５３】
これに対し、反射板を矩形平板状としたまま、反射板の表面にアルミ蒸着により形成する反射面の蒸着パターンを所定のカットオフラインに合わせ形状とすることにより、明暗境界形成部を反射面の一端部に設けることもできる。
この場合、アルミ蒸着により反射面が形成される反射板は矩形平板状のままで良いので、製造が容易となる。
【００５４】
また、上記実施形態においては、略三角柱状に組み合わせた３枚の反射板により３種類の反射面を備えた選択反射部材を構成したが、本発明に係る選択反射部材は複数の反射面を備えていれば良いので、一枚の反射板の表裏に２種類の反射面を設けたり、４枚以上の反射板を多角柱状に組み合わせて４種類以上の反射面を設けたりすることもできる。
更に、選択反射部材に設けられる反射面の数や形状は、必要とする配光パターンの数や形状により適宜選択される。
【図面の簡単な説明】
【００５５】
【図１】本発明に係る車両用前照灯の第１実施形態を示す概略縦断面図である。
【図２】図１に示した灯具ユニットの要部斜視図である。
【図３】図１に示した灯具ユニットの光路を説明するための縦断面図である。
【図４】図１に示した選択反射部材の反射面を説明するための模式図。
【図５】図１に示した灯具ユニットの光路を説明するための縦断面図である。
【図６】前方に投影される光の配光パターンを説明する図である。
【図７】本発明に係る車両用前照灯の第２実施形態を示す概略縦断面図である。
【図８】図７に示した灯具ユニットの光路を説明するための縦断面図である。
【図９】図７に示した選択反射部材の反射面を説明するための模式図。
【図１０】前方に投影される光の配光パターンを説明する図である。
【符号の説明】
【００５６】
１０  車両用前照灯
１１  投影レンズ
１２  ランプボディ
１４  透明カバー（カバー）
２０  灯具ユニット
２２  放電バルブ（光源バルブ）
２２ａ  発光部
２４  リフレクタ
２４ａ  反射面
２４ｂ  反射面
２５  選択反射部材
２６  反射面
２６ａ  明暗境界形成部
２７  反射面
２７ａ  明暗境界形成部
２８  反射面
２８ａ  明暗境界形成部
【図１】
2006079877.tif 000003
【図２】
2006079877.tif 000004
【図３】
2006079877.tif 000005
【図４】
2006079877.tif 000006
【図５】
2006079877.tif 000007
【図６】
2006079877.tif 000008
【図７】
2006079877.tif 000009
【図８】
2006079877.tif 000010
【図９】
2006079877.tif 000011
【図１０】
2006079877.tif 000012